(57)【要約】【課題】それぞれの旋回流に対応した導入口を形成することで、処理風量を増加させることができるとともに、複数の空気浄化ユニットを積層することで浄化性能を高めることができる空気浄化器を提供すること。【解決手段】本発明の空気浄化器は、空気浄化ユニット１には、空気浄化機構１０Ａを有し、空気浄化機構１０Ａは、導入路２０Ａと、循環路３０Ａと、導出路４０Ａと、集塵路５０とを備え、空気浄化ユニット１として、第１空気浄化ユニット１００と第２空気浄化ユニット２００とを設け、空気の流れに対して、第１空気浄化ユニット１００を第２空気浄化ユニット２００の下流に配置し、第１導入路用連通路２００Ｘを第２空気浄化ユニット２００に設け、第２導出路用連通路１００Ｙを第１空気浄化ユニット１００に設けたことを特徴とする。【選択図】図１
2013215673.tif 000002
【特許請求の範囲】
【請求項１】
空気に含まれる粉塵を分離する空気浄化ユニットと、前記空気浄化ユニットに前記空気を導くファンユニットとを有する空気浄化器であって、前記空気浄化ユニットには、空気浄化機構を有し、前記空気浄化機構は、前記空気を導入する導入路と、前記導入路から導入された前記空気を旋回させる循環路と、前記循環路を旋回する前記空気の一部を導出する導出路と、前記循環路を旋回する前記空気の一部を導出する集塵路とを備え、前記空気浄化ユニットとして、第１空気浄化ユニットと第２空気浄化ユニットとを設け、前記空気の流れに対して、前記第１空気浄化ユニットを前記第２空気浄化ユニットの下流に配置し、前記第１空気浄化ユニットに形成された第１の前記導入路に前記空気を導入する第１導入路用連通路を前記第２空気浄化ユニットに設け、前記第２空気浄化ユニットに形成された第２の前記導出路から前記空気を導出する第２導出路用連通路を前記第１空気浄化ユニットに設けたことを特徴とする空気浄化器。
【請求項２】
前記第１空気浄化ユニットと前記第２空気浄化ユニットとの間に空気導入ユニットを設け、前記空気導入ユニットには、前記第１導入路用連通路と第１の前記導入路とが連通する拡大空間部を設け、前記拡大空間部における前記空気の流れに直交する流路断面積を、前記第１導入路用連通路における前記空気の流れに直交する流路断面積よりも大きくし、かつ前記第１の導入路における前記空気の流れに直交する流路断面積よりも大きくしたことを特徴とする請求項１に記載の空気浄化器。
【請求項３】
前記第１導入路用連通路における前記空気の流れに直交する流路断面積を、第１の前記導入路における前記空気の流れに直交する流路断面積よりも大きくしたことを特徴とする請求項１又は請求項２に記載の空気浄化器。
【請求項４】
前記集塵路を前記空気浄化ユニットの側部に配置したことを特徴とする請求項１から請求項３のいずれかに記載の空気浄化器。
【請求項５】
前記集塵路の下流に、前記空気から分離した前記粉塵を溜める集塵室と、前記粉塵を分離した前記空気を導出する排気口とを設け、前記集塵室を前記循環路よりも下方に配置し、前記排気口を前記循環路よりも上方に配置したことを特徴とする請求項１から請求項４のいずれかに記載の空気浄化器。
【請求項６】
前記ファンユニットの風量を変更する風量変更手段と、前記風量変更手段による風量変更に応じて、前記第１空気浄化ユニット又は前記第２空気浄化ユニットにおける前記空気浄化機構の前記空気導入又は空気導出を停止する空気浄化機構制御手段とを備えたことを特徴とする請求項１から請求項５のいずれかに記載の空気浄化器。
【発明の詳細な説明】
【技術分野】
【０００１】
本発明は、空気中の粉塵を除去する空気浄化器に関する。
【背景技術】
【０００２】
サイクロン方式で粗塵を捕集する空気清浄機が提案されている（特許文献１）。
【０００３】
特許文献１は、フロントパネルの裏面に、旋回室と粗塵集積室を形成し、旋回室では吸込口から導入した室内空気を垂直面内で高速旋回させ、空気中の粗塵を遠心分離するものである。
【０００４】
また、複数の旋回室を形成した構成が特許文献２で示されている。
【先行技術文献】
【特許文献】
【０００５】
【特許文献１】特開２００６−２８９１７０号公報
【特許文献２】特表昭６０−５００４８７号公報
【発明の概要】
【発明が解決しようとする課題】
【０００６】
しかし、特許文献１の構成では、一つの旋回室を構成するには適しているが、吸込口を装置側面に設けるものであり、処理風量を増加させるために複数の旋回室を配置するには制約が生じる。
【０００７】
なお、特許文献２では、複数の旋回室を形成しているが、旋回室への吸入口の方向は特許文献１と同様であり、それぞれの旋回室に対応して吸入口を形成するものではないので、旋回室を複数設けることで処理風量を増加させるには適さない。
【０００８】
そこで本発明は、それぞれの旋回流に対応した導入口を形成することで、処理風量を増加させることができるとともに、複数の空気浄化ユニットを積層することで浄化性能を高めることができる空気浄化器を提供することを目的とする。
【課題を解決するための手段】
【０００９】
請求項１記載の本発明の空気浄化器は、空気に含まれる粉塵を分離する空気浄化ユニットと、前記空気浄化ユニットに前記空気を導くファンユニットとを有する空気浄化器であって、前記空気浄化ユニットには、空気浄化機構を有し、前記空気浄化機構は、前記空気を導入する導入路と、前記導入路から導入された前記空気を旋回させる循環路と、前記循環路を旋回する前記空気の一部を導出する導出路と、前記循環路を旋回する前記空気の一部を導出する集塵路とを備え、前記空気浄化ユニットとして、第１空気浄化ユニットと第２空気浄化ユニットとを設け、前記空気の流れに対して、前記第１空気浄化ユニットを前記第２空気浄化ユニットの下流に配置し、前記第１空気浄化ユニットに形成された第１の前記導入路に前記空気を導入する第１導入路用連通路を前記第２空気浄化ユニットに設け、前記第２空気浄化ユニットに形成された第２の前記導出路から前記空気を導出する第２導出路用連通路を前記第１空気浄化ユニットに設けたことを特徴とする。
【００１０】
請求項２記載の本発明は、請求項１に記載の空気浄化器において、前記第１空気浄化ユニットと前記第２空気浄化ユニットとの間に空気導入ユニットを設け、前記空気導入ユニットには、前記第１導入路用連通路と第１の前記導入路とが連通する拡大空間部を設け、前記拡大空間部における前記空気の流れに直交する流路断面積を、前記第１導入路用連通路における前記空気の流れに直交する流路断面積よりも大きくし、かつ前記第１導入路における前記空気の流れに直交する流路断面積よりも大きくしたことを特徴とする。
【００１１】
請求項３記載の本発明は、請求項１又は請求項２に記載の空気浄化器において、前記第１導入路用連通路における前記空気の流れに直交する流路断面積を、第１の前記導入路における前記空気の流れに直交する流路断面積よりも大きくしたことを特徴とする。
【００１２】
請求項４記載の本発明は、請求項１から請求項３のいずれかに記載の空気浄化器において、前記集塵路を前記空気浄化ユニットの側部に配置したことを特徴とする。
【００１３】
請求項５記載の本発明は、請求項１から請求項４のいずれかに記載の空気浄化器において、前記集塵路の下流に、前記空気から分離した前記粉塵を溜める集塵室と、前記粉塵を分離した前記空気を導出する排気口とを設け、前記集塵室を前記循環路よりも下方に配置し、前記排気口を前記循環路よりも上方に配置したことを特徴とする。
【００１４】
請求項６記載の本発明は、請求項１から請求項５のいずれかに記載の空気浄化器において、前記ファンユニットの風量を変更する風量変更手段と、前記風量変更手段による風量変更に応じて、前記第１空気浄化ユニット又は前記第２空気浄化ユニットにおける前記空気浄化機構の前記空気導入又は空気導出を停止する空気浄化機構制御手段とを備えたことを特徴とする。
【発明の効果】
【００１５】
本発明によれば、複数の空気浄化ユニットを積層することができ、浄化性能を高めることができる。
【図面の簡単な説明】
【００１６】
【図１】本発明の一実施例の空気浄化器を適用した空気清浄装置の主要構成を示す分解構成図
【図２】図１で示した空気浄化ユニットの要部斜視図
【図３】本発明の空気浄化器の一実施例による連接した３つの空気浄化機構を構成する第１層ユニットの斜視図
【図４】同空気浄化機構を構成する第２層ユニットの斜視図
【図５】同空気浄化機構を構成する中間層ユニットの斜視図
【図６】同空気浄化機構を構成する第３層ユニットの斜視図
【図７】同空気浄化機構を構成する第４層ユニットの斜視図
【図８】本発明の一実施例による空気浄化器を示す側面構成図
【図９】同空気浄化器に用いる空気浄化ユニットの要部分解斜視図
【発明を実施するための形態】
【００１７】
本発明の第１の実施の形態による空気浄化器は、空気浄化ユニットには、空気浄化機構を有し、空気浄化機構は、空気を導入する導入路と、導入路から導入された空気を旋回させる循環路と、循環路を旋回する空気の一部を導出する導出路と、循環路を旋回する空気の一部を導出する集塵路とを備え、空気浄化ユニットとして、第１空気浄化ユニットと第２空気浄化ユニットとを設け、空気の流れに対して、第１空気浄化ユニットを第２空気浄化ユニットの下流に配置し、第１空気浄化ユニットに形成された第１の導入路に空気を導入する第１導入路用連通路を第２空気浄化ユニットに設け、第２空気浄化ユニットに形成された第２の導出路から空気を導出する第２導出路用連通路を第１空気浄化ユニットに設けたものである。本実施の形態によれば、複数の空気浄化ユニットを積層することができ、浄化性能を高めることができる。
【００１８】
本発明の第２の実施の形態は、第１の実施の形態による空気浄化器において、第１空気浄化ユニットと第２空気浄化ユニットとの間に空気導入ユニットを設け、空気導入ユニットには、第１導入路用連通路と第１の導入路とが連通する拡大空間部を設け、拡大空間部における空気の流れに直交する流路断面積を、第１導入路用連通路における空気の流れに直交する流路断面積よりも大きくし、かつ第１の導入路における空気の流れに直交する流路断面積よりも大きくしたものである。本実施の形態によれば、第１導入路用連通路と第１の導入路とをずれた位置に配置でき、また圧力損失を抑えて、第１空気浄化ユニットに導入する空気量の低下を防止することができる。
【００１９】
本発明の第３の実施の形態は、第１又は第２の実施の形態による空気浄化器において、第１導入路用連通路における空気の流れに直交する流路断面積を、第１の導入路における空気の流れに直交する流路断面積よりも大きくしたものである。本実施の形態によれば、圧力損失を抑えて、第１空気浄化ユニットに導入する空気量の低下を防止することができる。
【００２０】
本発明の第４の実施の形態は、第１から第３の実施の形態による空気浄化器において、集塵路を空気浄化ユニットの側部に配置したものである。本実施の形態によれば、ファンユニットによる吸込空気量が少ない位置に集塵路を配置することで、ファンユニットによる吸込空気量が多い位置に導出路を配置することができ、浄化性能を高めることができる。
【００２１】
本発明の第５の実施の形態は、第１から第４の実施の形態による空気浄化器において、集塵路の下流に、空気から分離した粉塵を溜める集塵室と、粉塵を分離した空気を導出する排気口とを設け、集塵室を循環路よりも下方に配置し、排気口を循環路よりも上方に配置したものである。本実施の形態によれば、集塵室を循環路よりも下方に配置し、排気口を循環路より上方に配置することで、粉塵の分離効果を高め、排気口から粉塵が導出されることを防止することができる。
【００２２】
本発明の第６の実施の形態は、第１から第５の実施の形態による空気浄化器において、ファンユニットの風量を変更する風量変更手段と、風量変更手段による風量変更に応じて、第１空気浄化ユニット又は第２空気浄化ユニットにおける空気浄化機構の空気導入又は空気導出を停止する空気浄化機構制御手段とを備えたものである。本実施の形態によれば、ファンユニットの風量に応じて、浄化能力を変更することができ、浄化性能の効率を高めることができる。
【実施例】
【００２３】
以下に、本発明の一実施例による空気浄化器について説明する。
【００２４】
図１は本実施例の空気浄化器の主要構成を示す分解構成図である。
【００２５】
空気浄化器は、空気浄化ユニット１、集塵フィルター２、及びファンユニット３から構成される。ダストボックス４は、空気浄化ユニット１で分離された粉塵を捕集する。ダストボックス４は、空気浄化ユニット１の下方に配置することが好ましい。
【００２６】
空気浄化ユニット１は、集塵フィルター２の上流側に配置される。集塵フィルター２の下流にはファンユニット３が配置される。
【００２７】
ファンユニット３の送風動作によって、空気は、空気浄化ユニット１から集塵フィルター２を通過し、清浄化された空気がファンユニット３から排出される。
【００２８】
比較的質量の大きな粉塵は、空気浄化ユニット１で分離されて捕集され、微粉塵、細菌、及びウイルスなどは集塵フィルター２で捕集される。
【００２９】
集塵フィルター２の上流に空気浄化ユニット１を配置することで、集塵フィルター２の目詰まりを防止し、集塵フィルター２の掃除回数を減少させることができる。
【００３０】
なお、図１では、集塵フィルター２を設けた空気清浄装置で説明したが、集塵フィルター２に代えて、又は集塵フィルター２とともに電気集塵機構を備えたものでもよい。
【００３１】
また、集塵フィルター２を備えずに、空気浄化ユニット１とファンユニット３とで構成することもできる。
【００３２】
本実施例は、空気浄化ユニット１を複数の空気浄化ユニットで構成し、複数の空気浄化ユニットは、空気の流れに対して直列に配置する。
【００３３】
図２は、図１で示した空気浄化ユニット１を構成する一つの空気浄化ユニット１００の要部斜視図である。
【００３４】
空気浄化ユニット１００は、複数の空気浄化機構１０を備えることが好ましい。
【００３５】
図２では、連接した３つの空気浄化機構１０Ａ、１０Ｂ、１０Ｃを斜視図として示している。
【００３６】
本発明の空気浄化器は、１つの空気浄化機構１０Ａで構成されるが、連接した複数の空気浄化機構で構成されることや、これら連接した複数の空気浄化機構を複数段で構成されることもある。
【００３７】
図２に示す空気浄化機構１０Ａについて以下に説明する。
【００３８】
空気浄化機構１０Ａは、空気を導入する導入路２０Ａと、導入路２０Ａから導入された空気を旋回させる循環路３０Ａと、循環路３０Ａを旋回する空気の一部を導出する導出路４０Ａと、循環路３０Ａを旋回する空気の一部を導出する集塵路５０とを備えている。また、循環路３０Ａには、一部の空気の旋回を阻止する仕切壁面６０Ａを設けている。
【００３９】
導出路４０Ａにつながる導出口４１Ａは、循環路３０Ａの内周壁面３１Ａに形成している。集塵路５０につながる集塵口５１は、循環路３０Ａの外周壁面３２Ａに形成している。
【００４０】
導出口４１Ａは、仕切壁面６０Ａ内に配置している。集塵口５１は、仕切壁面６０Ａ外に配置している。循環路３０Ａにつながる導入路２０Ａの導入口２１Ａは、仕切壁面６０Ａ外に配置している。
【００４１】
導入口２１Ａは、平面視で循環路３０Ａの底壁面３３Ａ内に配置している。なお、導入口２１Ａの少なくとも一部を、平面視で循環路３０Ａの底壁面３３Ａ内に配置していればよい。
【００４２】
図２に示す空気浄化機構１０Ｂについて以下に説明する。
【００４３】
空気浄化機構１０Ｂは、空気を導入する導入路２０Ｂと、導入路２０Ｂから導入された空気を旋回させる循環路３０Ｂと、循環路３０Ｂを旋回する空気の一部を導出する導出路４０Ｂとを備えている。
【００４４】
循環路３０Ｂには、一部の空気の旋回を阻止する仕切壁面６０Ｂを設けている。
【００４５】
導出路４０Ｂにつながる導出口４１Ｂは、循環路３０Ｂの内周壁面３１Ｂに形成している。
【００４６】
導出口４１Ｂは、仕切壁面６０Ｂ内に配置している。循環路３０Ｂにつながる導入路２０Ｂの導入口２１Ｂは、仕切壁面６０Ｂ外に配置している。
【００４７】
導入口２１Ｂは、平面視で循環路３０Ｂの底壁面３３Ｂ内に配置している。なお、導入口２１Ｂの少なくとも一部を、平面視で循環路３０Ｂの底壁面３３Ｂ内に配置していればよい。
【００４８】
以上のように、空気浄化機構１０Ｂでは、集塵路５０を空気浄化機構１０Ａと共用している。従って、循環路３０Ｂを旋回する空気の一部は、循環路３０Ａに導出され、循環路３０Ａで循環された後に、集塵路５０から導出する。
【００４９】
図２に示す空気浄化機構１０Ｃについて以下に説明する。
【００５０】
空気浄化機構１０Ｃは、空気を導入する導入路２０Ｃと、導入路２０Ｃから導入された空気を旋回させる循環路３０Ｃと、循環路３０Ｃを旋回する空気の一部を導出する導出路４０Ｃとを備えている。
【００５１】
循環路３０Ｃには、一部の空気の旋回を阻止する仕切壁面６０Ｃを設けている。
【００５２】
導出路４０Ｃにつながる導出口４１Ｃは、循環路３０Ｃの内周壁面３１Ｃに形成している。
【００５３】
導出口４１Ｃは、仕切壁面６０Ｃ内に配置している。循環路３０Ｃにつながる導入路２０Ｃの導入口２１Ｃは、仕切壁面６０Ｃ外に配置している。
【００５４】
導入口２１Ｃは、平面視で循環路３０Ｃの底壁面３３Ｃ内に配置している。なお、導入口２１Ｃの少なくとも一部を、平面視で循環路３０Ｃの底壁面３３Ｃ内に配置していればよい。
【００５５】
以上のように、空気浄化機構１０Ｃでは、集塵路５０を空気浄化機構１０Ａと共用している。従って、循環路３０Ｃを旋回する空気の一部は、循環路３０Ｂに導出され、更に循環路３０Ａで循環された後に、集塵路５０から導出する。
【００５６】
空気浄化機構１０Ａ、１０Ｂ、１０Ｃの空気の流れは、図２の最上段の空気浄化機構に図示する通り、それぞれ旋回流を生じるとともに、一部は導出口４１Ａ、４１Ｂ、４１Ｃから導出され、一部は集塵口５１から導出される流れとなる。
【００５７】
図３は本発明の空気浄化器の一実施例による連接した３つの空気浄化機構を構成する第１層ユニットの斜視図、図４は同空気浄化機構を構成する第２層ユニットの斜視図、図５は同空気浄化機構を構成する中間層ユニットの斜視図、図６は同空気浄化機構を構成する第３層ユニットの斜視図、図７は同空気浄化機構を構成する第４層ユニットの斜視図である。
【００５８】
図３から図７を用いて空気浄化ユニット１００について説明する。
【００５９】
空気浄化ユニット１００は、更に、第１層ユニット１１０、第２層ユニット１２０、中間層ユニット１２５、第３層ユニット１３０、第４層ユニット１４０で構成される。
【００６０】
図３に示すように、第１層ユニット１１０には、導入路２０Ａ、２０Ｂ、２０Ｃの開口を形成している。導入路２０Ａ、２０Ｂ、２０Ｃの開口以外には、開口を形成しないことで、循環路３０Ａ、３０Ｂ、３０Ｃの天壁面３４Ａ、３４Ｂ、３４Ｃと、導出路４０Ａ、４０Ｂ、４０Ｃの封止面４２Ａ、４２Ｂ、４２Ｃを形成する。
【００６１】
図４に示すように、第２層ユニット１２０には、導入路２０Ａ、２０Ｂ、２０Ｃ、内周壁面３１Ａ、３１Ｂ、３１Ｃ、外周壁面３２Ａ、３２Ｂ、３２Ｃ、仕切壁面６０Ａ、６０Ｂ、６０Ｃ、及び導出口４１Ａ、４１Ｂ、４１Ｃを形成する。
【００６２】
図５に示すように、中間層ユニット１２５には、導入路２０Ａ、２０Ｂ、２０Ｃ、内周壁面３１Ａ、３１Ｂ、３１Ｃ、外周壁面３２Ａ、３２Ｂ、３２Ｃ、仕切壁面６０Ａ、６０Ｂ、６０Ｃ、導入口２１Ａ、２１Ｂ、２１Ｃ、集塵口５１、及び集塵路５０の両側壁面を形成する。
【００６３】
中間層ユニット１２５で形成する仕切壁面６０Ａ、６０Ｂ、６０Ｃは傾斜面としている。
【００６４】
図６に示すように、第３層ユニット１３０には、外周壁面３２Ａ、３２Ｂ、３２Ｃ、集塵口５１、及び集塵路５０の両側壁面を形成する。
【００６５】
図７に示すように、第４層ユニット１４０には、内周壁面３１Ａ、３１Ｂ、３１Ｃ、底壁面３３Ａ、３３Ｂ、３３Ｃ、及び導出路４０Ａ、４０Ｂ、４０Ｃの開口４３Ａ、４３Ｂ、４３Ｃを形成する。
【００６６】
このように、連接した３つの空気浄化機構１０Ａ、１０Ｂ、１０Ｃは、第１層ユニット１１０、第２層ユニット１２０、中間層ユニット１２５、第３層ユニット１３０、及び第４層ユニット１４０を順に積層して、循環路３０Ａ、３０Ｂ、３０Ｃ、導出路４０Ａ、４０Ｂ、４０Ｃ、及び集塵路５０を形成する。
【００６７】
次に、２つの空気浄化ユニットで構成した実施例について説明する。
【００６８】
図８は、本発明の一実施例による空気浄化器を示す側面構成図である。
【００６９】
本実施例では、空気浄化ユニット１として、第１空気浄化ユニット１０１と第２空気浄化ユニット２０１とを設けている。
【００７０】
第１空気浄化ユニット１０１は、空気の流れに対して、第２空気浄化ユニット２０１の下流に配置している。
【００７１】
第１空気浄化ユニット１０１には空気浄化機構１０Ｘが、第２空気浄化ユニット２０１には空気浄化機構１０Ｙが設けられているとして以下に説明する。
【００７２】
なお、第１空気浄化ユニット１０１には一つの空気浄化機構１０Ｘが、第２空気浄化ユニット２０１には一つの空気浄化機構１０Ｙが設けられていてもよく、複数の空気浄化機構１０Ｘ、又は複数の空気浄化機構１０Ｙが設けられていてもよい。
【００７３】
また、空気浄化機構１０Ｘ及び空気浄化機構１０Ｙは、既に説明した空気浄化機構１０Ａ、１０Ｂ、１０Ｃのいずれかと同一構成であり、図８では空気浄化機構１０Ｘ及び空気浄化機構１０Ｙについての詳細な説明は省略する。
【００７４】
空気浄化機構１０Ｘは、空気を導入する導入路（第１の導入路）２０Ｘと、導入路２０Ｘから導入された空気を旋回させる循環路３０Ｘと、循環路３０Ｘを旋回する空気の一部を導出する導出路４０Ｘと、循環路３０Ｘを旋回する空気の一部を導出する集塵路５０Ｘとを備えている。
【００７５】
また空気浄化機構１０Ｙは、空気を導入する導入路２０Ｙと、導入路２０Ｙから導入された空気を旋回させる循環路３０Ｙと、循環路３０Ｙを旋回する空気の一部を導出する導出路（第２の導出路）４０Ｙと、循環路３０Ｙを旋回する空気の一部を導出する集塵路５０Ｙとを備えている。
【００７６】
第１空気浄化ユニット１０１には、空気浄化機構１０Ｙの導出路４０Ｙから空気を導出する第２導出路用連通路１００Ｙを設けている。
【００７７】
第２空気浄化ユニット２０１には、空気浄化機構１０Ｘの導入路２０Ｘに空気を導入する第１導入路用連通路２００Ｘを設けている。
【００７８】
集塵路５０Ｘ、５０Ｙの下流に、空気から分離した粉塵を溜める集塵室７０と、粉塵を分離した空気を導出する排気口５２Ｘ、５２Ｙとを設けている。
【００７９】
集塵室７０は、循環路３０Ｘ、３０Ｙよりも下方に配置し、排気口５２Ｘ、５２Ｙは循環路３０Ｘ、３０Ｙよりも上方に配置している。
【００８０】
第１空気浄化ユニット１０１と第２空気浄化ユニット２０１との間には空気導入ユニット３００を設けている。
【００８１】
空気導入ユニット３００には、第１導入路用連通路２００Ｘと空気浄化機構１０Ｘの導入路２０Ｘとが連通する拡大空間部３１０を設けている。
【００８２】
また、空気導入ユニット３００には、空気浄化機構１０Ｙの導出路４０Ｙと第２導出路用連通路１００Ｙとが連通する連通路３２０を設けている。
【００８３】
また、空気導入ユニット３００には、空気浄化機構１０Ｙの排気口５２Ｙと空気浄化機構１０Ｘの排気口５２Ｘとが連通する排気連通路３３０を設けている。
【００８４】
拡大空間部３１０における空気の流れに直交する流路断面積は、第１導入路用連通路２００Ｘにおける空気の流れに直交する流路断面積よりも大きくしている。また、拡大空間部３１０における空気の流れに直交する流路断面積は、空気浄化機構１０Ｘの導入路２０Ｘにおける空気の流れに直交する流路断面積よりも大きくしている。
【００８５】
また、第１導入路用連通路２００Ｘにおける空気の流れに直交する流路断面積は、空気浄化機構１０Ｘの導入路２０Ｘにおける空気の流れに直交する流路断面積よりも大きくしている。
【００８６】
本実施例による空気浄化器は、ファンユニット３の風量を変更する風量変更手段５と、風量変更手段５による風量変更に応じて、第１空気浄化ユニット１０１又は第２空気浄化ユニット２０１における空気浄化機構１０Ｘ、１０Ｙの空気導入又は空気導出を停止する空気浄化機構制御手段６とを備えている。
【００８７】
空気浄化機構制御手段６は、風量変更手段５による風量変更に応じて制御板７を動作させることで、空気浄化機構１０Ｘ、１０Ｙの空気導入又は空気導出を停止する。
【００８８】
例えば、制御板７には、位置の変更によって第２導出路用連通路１００Ｙ又は導出路４０Ｘを閉塞又は開口する機構を備え、制御板７を第１空気浄化ユニット１０１の下流側に配置する。
【００８９】
図８に示す２つの空気浄化ユニット１００、２００を、複数ユニットで形成した構成を図９に示す。
【００９０】
図９は、本実施例による空気浄化器に用いる空気浄化ユニットの要部分解斜視図である。
【００９１】
図９では、空気浄化ユニット１００には、空気浄化機構１０Ｘとして、既に説明した３つの連続する空気浄化機構１０Ａ、１０Ｂ、１０Ｃが、左右対称に一列に配置され、更に複数段形成されたものを示し、空気浄化ユニット２００には、空気浄化機構１０Ｙとして、既に説明した３つの連続する空気浄化機構１０Ａ、１０Ｂ、１０Ｃと、４つの連続する空気浄化機構１０Ａ、１０Ｂ、１０Ｃ、１０Ｄとが左右に一列に配置され、更に複数段形成されたものを示している。
【００９２】
空気浄化ユニット１００は、第１層ユニット１１０、第２層ユニット１２０、中間層ユニット１２５、第３層ユニット１３０、及び第４層ユニット１４０を順に積層して、循環路３０Ａ、３０Ｂ、３０Ｃ、導出路４０Ａ、４０Ｂ、４０Ｃ、及び集塵路５０Ｘを形成する。
【００９３】
また、空気浄化ユニット２００は、第１層ユニット２１０、第２層ユニット２２０、中間層ユニット２２５、第３層ユニット２３０、及び第４層ユニット２４０を順に積層して、循環路３０Ａ、３０Ｂ、３０Ｃ、３０Ｄ、導出路４０Ａ、４０Ｂ、４０Ｃ、４０Ｄ、及び集塵路５０Ｙを形成する。
【００９４】
集塵路５０Ｘ、５０Ｙは、空気浄化ユニット１００、２００の両側部に配置している。
【００９５】
以上のように本実施例による空気浄化器によれば、複数の空気浄化ユニット１００、２００を積層することができ、浄化性能を高めることができる。
【００９６】
また本実施例による空気浄化器によれば、拡大空間部３１０における空気の流れに直交する流路断面積を、第１導入路用連通路２００Ｘにおける空気の流れに直交する流路断面積よりも大きくし、かつ第１導入路２１Ｘにおける空気の流れに直交する流路断面積よりも大きくしたことで、第１導入路用連通路２００Ｘと第１の導入路２０Ｘとをずれた位置に配置でき、また圧力損失を抑えて、第１空気浄化ユニット１０１に導入する空気量の低下を防止することができる。
【００９７】
また本実施例による空気浄化器によれば、第１導入路用連通路２００Ｘにおける空気の流れに直交する流路断面積を、第１の導入路２０Ｘにおける空気の流れに直交する流路断面積よりも大きくしたことで、圧力損失を抑えて、第１空気浄化ユニット１０１に導入する空気量の低下を防止することができる。
【００９８】
また本実施例による空気浄化器によれば、ファンユニット３による吸込空気量が少ない位置に集塵路５０Ｘ、５０Ｙを配置することで、ファンユニット３による吸込空気量が多い位置に導出路４０Ｘ、４０Ｙを配置することができ、浄化性能を高めることができる。
【００９９】
また本実施例による空気浄化器によれば、集塵路５０Ｘ、５０Ｙを循環路３０Ｘ、３０Ｙよりも下方に配置し、排気口５２Ｘ、５２Ｙを循環路３０Ｘ、３０Ｙより上方に配置することで、粉塵の分離効果を高め、排気口５２Ｘ、５２Ｙから粉塵が導出されることを防止することができる。
【０１００】
また本実施例による空気浄化器によれば、ファンユニット３の風量に応じて、浄化能力を変更することができ、浄化性能の効率を高めることができる。
【０１０１】
また本実施例による空気浄化器によれば、仕切壁面６０Ａ、６０Ｂ、６０Ｃによって循環する空気の一部が遮られ、仕切壁面６０Ａ、６０Ｂ、６０Ｃ内に配置した導出口４１Ａ、４１Ｂ、４１Ｃから空気を導出しやすくなるため、導入される空気量を増加することができ、また集塵口５１を仕切壁面６０Ａ外に配置することで、集塵口５１は旋回する空気流の外周に位置するため、質量の大きな粉塵を集塵路５０に導くことができる。
【０１０２】
また本実施例による空気浄化器によれば、導入口２１Ａ、２１Ｂ、２１Ｃから導入される空気が旋回しやすく、スムーズな旋回を行わせることができる。
【０１０３】
また本実施例による空気浄化器によれば、限られた平面内で空気浄化器の最小単位を構成することができる。
【０１０４】
また本実施例による空気浄化器によれば、空気から分離された粉塵を確実に集塵室７０で捕集することができる。
【０１０５】
また本実施例による空気浄化器によれば、排気口５２を設けることで、集塵路５０に空気の流れを生じさせることができ、粉塵を確実に循環路３０Ａから導出することができる。
【０１０６】
また本実施例による空気浄化器によれば、循環路３０Ａ、３０Ｂ、３０Ｃ、導出路４０Ａ、４０Ｂ、４０Ｃ、及び集塵路５０を構成しやすく、空気浄化器の製造を容易に行うことができる。
【０１０７】
また本実施例による空気浄化器によれば、中間層ユニット１２５によって循環路３０Ａ、３０Ｂ、３０Ｃの断面積を増加させることができるとともに傾斜面を形成することによって空気を旋回しやすくすることができるため、循環する空気量を増加することができる。
【産業上の利用可能性】
【０１０８】
本発明は、特にフィルターを備えた空気清浄機において適している。
【符号の説明】
【０１０９】
１      空気浄化ユニット
２      集塵フィルター
３      ファンユニット
４      ダストボックス
５      風量変更手段
６      空気浄化機構制御手段
７      制御板
１０      空気浄化機構
１０Ａ    空気浄化機構
１０Ｂ    空気浄化機構
１０Ｃ    空気浄化機構
１０Ｘ    空気浄化機構
１０Ｙ    空気浄化機構
２０Ａ    導入路
２０Ｂ    導入路
２０Ｃ    導入路
２０Ｘ    導入路
２０Ｙ    導入路
２１Ａ    導入口
２１Ｂ    導入口
２１Ｃ    導入口
２１Ｘ    第１導入路
３０Ａ    循環路
３０Ｂ    循環路
３０Ｃ    循環路
３０Ｘ    循環路
３０Ｙ    循環路
３１Ａ    内周壁面
３１Ｂ    内周壁面
３１Ｃ    内周壁面
３２Ａ    外周壁面
３２Ｂ    外周壁面
３２Ｃ    外周壁面
３３Ａ    底壁面
３３Ｂ    底壁面
３３Ｃ    底壁面
４０Ａ    導出路
４０Ｂ    導出路
４０Ｃ    導出路
４０Ｘ    導出路
４０Ｙ    導出路
４１Ａ    導出口
４１Ｂ    導出口
４１Ｃ    導出口
５０      集塵路
５０Ｘ    集塵路
５０Ｙ    集塵路
５１      集塵口
６０Ａ    仕切壁面
６０Ｂ    仕切壁面
６０Ｃ    仕切壁面
７０      集塵室
１００    空気浄化ユニット
１０１    第１空気浄化ユニット
１００Ｙ  第２導出路用連通路
１１０    第１層ユニット
１２０    第２層ユニット
１２５    中間層ユニット
１３０    第３層ユニット
１４０    第４層ユニット
２００    空気浄化ユニット
２０１    第２空気浄化ユニット
２００Ｘ  第１導入路用連通路
２１０    第１層ユニット
２２０    第２層ユニット
２２５    中間層ユニット
２３０    第３層ユニット
２４０    第４層ユニット
３００    空気導入ユニット
３１０    拡大空間部
【図１】
2013215673.tif 000003
【図２】
2013215673.tif 000004
【図３】
2013215673.tif 000005
【図４】
2013215673.tif 000006
【図５】
2013215673.tif 000007
【図６】
2013215673.tif 000008
【図７】
2013215673.tif 000009
【図８】
2013215673.tif 000010
【図９】
2013215673.tif 000011